(57)【要約】【課題】電源装置への固定及び電気的接続を効率的に行うことができるコネクタを提供する。【解決手段】正極端子部材２と負極端子部材３と絶縁部材４とからなるコネクタ１。コネクタ１は、ケース７１に固定できるよう構成されている。負極端子部材３は、ケース７１にコネクタ１を固定すると共に、負極端子部材３とケース７１との電気的接続を図るための接続固定部３２３を有する。正極端子部材２は、正側ワイヤー接続部２１を備えると共に、正極バスバー２２を有する。正極バスバー２２は、正側ワイヤー接続部２１を突出させた正極本体部２２１を備える。負極端子部材３は、負側ワイヤー接続部３１を備えると共に、負極バスバー３２を有する。負極バスバー３２は、負側ワイヤー接続部３１を突出させた負極本体部３２１を備える。【選択図】図１
2013122841.tif 000002
【特許請求の範囲】
【請求項１】
正極端子部材と、負極端子部材と、上記正極端子部材及び上記負極端子部材を一体的に保持すると共に両者を絶縁する絶縁部材とからなり、電源装置の出力部に配置されるコネクタであって、
該コネクタは、上記電源装置における導体からなるケースに固定できるよう構成され、
上記負極端子部材は、上記ケースに上記コネクタを固定すると共に、上記負極端子部材と上記ケースとの電気的接続を図るための接続固定部を有することを特徴とするコネクタ。
【請求項２】
請求項１に記載のコネクタにおいて、上記正極端子部材は、正側ワイヤーの一端を接続するための正側ワイヤー接続部を備えると共に、上記絶縁部材にその少なくとも一部を保持された板状の正極バスバーを有し、上記正極バスバーは、上記正側ワイヤー接続部を突出させた正極本体部を備え、上記負極端子部材は、負側ワイヤーの一端を接続するための負側ワイヤー接続部を備えると共に、上記絶縁部材にその少なくとも一部を保持された板状の負極バスバーを有し、上記負極バスバーは、上記負側ワイヤー接続部を突出させた負極本体部を備えていることを特徴とするコネクタ。
【請求項３】
請求項２に記載のコネクタにおいて、上記負極バスバーは、上記接続固定部を配設した延設部を有し、該延設部は、上記負極本体部から該負極本体部と上記正極本体部との並び方向及び上記負側ワイヤー接続部の突出方向に対して直交する横方向に引き出されると共に、上記正極本体部側に屈曲して延びるように形成されていることを特徴とするコネクタ。
【請求項４】
請求項３に記載のコネクタにおいて、上記延設部は、上記負極本体部から上記横方向の双方へ引き出されると共に、上記正極本体部側に屈曲して延びるように一対形成されていることを特徴とするコネクタ。
【請求項５】
請求項２〜４のいずれか一項に記載のコネクタにおいて、上記正極端子部材の上記正極バスバーは、上記電源装置の出力部と接続される装置側接続部を有し、該装置側接続部は、上記正極本体部における上記負極本体部と隣接する端縁部から上記正側ワイヤー接続部と反対側へ屈曲して形成されていることを特徴とするコネクタ。
【発明の詳細な説明】
【技術分野】
【０００１】
本発明は、ＤＣ−ＤＣコンバータ等の電源装置に取付けられるコネクタに関する。
【背景技術】
【０００２】
例えば、電気自動車やハイブリッド自動車等の車両に搭載されたＤＣ−ＤＣコンバータ等の電源装置は、高電圧バッテリーから供給される直流電圧を降圧して出力し、各種補機類へ電力を提供できるように構成されている。
ここで、上記電源装置には、電力の供給先と接続されるワイヤーの一端を接続固定するためのコネクタが配設されている（特許文献１）。ただし、通常、上記コネクタは、正極端子部材のみを有し、電源装置の負極側はケースを介して車体等に接地されている。
【先行技術文献】
【特許文献】
【０００３】
【特許文献１】特開平６−１５０９８９号公報
【発明の概要】
【発明が解決しようとする課題】
【０００４】
しかしながら、確実な電気的接続の観点から、電源装置の負極側もコネクタを通じて接地用ワイヤーを引き出して接地することが望まれる場合がある。かかる場合、上記コネクタは、正極端子部材と負極端子部材とを備えることとなるが、コネクタを上記電源装置に配設する際、コネクタをケースに固定すると共に、負極端子部材をもケースに電気的に接続する必要がある。その結果、ボルトやナット等の固定部材の部品点数が増加し、また固定作業の効率も低下するおそれがある。
【０００５】
本発明は、かかる背景に鑑みてなされたものであって、電源装置への固定及び電気的接続を効率的に行うことができるコネクタを提供しようとするものである。
【課題を解決するための手段】
【０００６】
本発明の一態様は、正極端子部材と、負極端子部材と、上記正極端子部材及び上記負極端子部材を一体的に保持すると共に両者を絶縁する絶縁部材とからなり、電源装置の出力部に配置されるコネクタであって、
該コネクタは、上記電源装置における導体からなるケースに固定できるよう構成され、
上記負極端子部材は、上記ケースに上記コネクタを固定すると共に、上記負極端子部材と上記ケースとの電気的接続を図るための接続固定部を有することを特徴とするコネクタにある（請求項１）。
【発明の効果】
【０００７】
上記コネクタは、上記負極端子部材に上記接続固定部を有する。これによって、上記ケースに上記コネクタを固定することができ、かつ上記負極端子部材と上記ケースとの電気的接続を行うことができる。その結果、上記コネクタの上記電源装置への固定及び電気的接続を同時に実現することができる。
また、上記コネクタを上記電源装置に固定すると共に電気的接続するための部品の点数を低減することができる。その結果、製造コストの低減を図ることができる共に、上記電源装置へのコネクタの固定及び電気的接続の作業の効率を向上させることができる。
【０００８】
以上のごとく、上記態様によれば、電源装置への固定及び電気的接続を効率的に行うことができるコネクタを提供することができる。
【図面の簡単な説明】
【０００９】
【図１】実施例１における、コネクタの斜視による説明図。
【図２】図１のＡ−Ａ線矢視断面図。
【図３】実施例１における、正極端子部材及び負極端子部材の斜視による説明図。
【図４】実施例１における、正極端子部材及び負極端子部材を仮想的に取り除いた状態の絶縁部材の前方側から見た斜視による説明図。
【図５】実施例１における、正極端子部材及び負極端子部材を仮想的に取り除いた状態の絶縁部材の後方側から見た斜視による説明図。
【図６】実施例１における、電源装置の回路図を用いた電源装置の車体に対する取付け状態の説明図。
【図７】実施例１における、ケースのコネクタ取付け部の斜視による説明図。
【図８】実施例１における、コネクタへの正側ワイヤー及び負側ワイヤーの取付け状態を示す説明図。
【図９】実施例１における、電源装置へのコネクタの取付け状態を示す説明図。
【図１０】実施例２における、コネクタの斜視による説明図。
【図１１】実施例２における、正極端子部材及び負極端子部材の斜視による説明図。
【発明を実施するための形態】
【００１０】
上記電源装置としては、例えば、ＤＣ−ＤＣコンバータがある。
また、上記正極端子部材は、正側ワイヤーの一端を接続するための正側ワイヤー接続部を備えると共に、上記絶縁部材にその少なくとも一部を保持された板状の正極バスバーを有し、上記正極バスバーは、上記正側ワイヤー接続部を突出させた正極本体部を備え、上記負極端子部材は、負側ワイヤーの一端を接続するための負側ワイヤー接続部を備えると共に、上記絶縁部材にその少なくとも一部を保持された板状の負極バスバーを有し、上記負極バスバーは、上記負側ワイヤー接続部を突出させた負極本体部を備えていてもよい（請求項２）。
【００１１】
この場合には、上記正側ワイヤー接続部に対して正側ワイヤーの一端を接続することができ、上記負側ワイヤー接続部に対して負側ワイヤーの一端を接続することができる。その結果、上記コネクタを介して上記電源装置と外部機器との電気的接続をより確実に行うことができる。
【００１２】
また、上記負極バスバーは、上記接続固定部を配設した延設部を有し、該延設部は、上記負極本体部から該負極本体部と上記正極本体部との並び方向及び上記負側ワイヤー接続部の突出方向に対して直交する横方向に引き出されると共に、上記正極本体部側に屈曲して延びるように形成されていることが好ましい（請求項３）。この場合には、上記ケースへの上記コネクタの固定及び上記負極端子部材と上記ケースとの電気的接続を、上記コネクタにおける上記負極本体部と上記正極本体部との並び方向の中心部付近で行うことができる。その結果、上記コネクタの上記電源装置に対する固定を安定して行うことができる。
【００１３】
また、上記延設部は、上記負極本体部から上記横方向の双方へ引き出されると共に、上記正極本体部側に屈曲して延びるように一対形成されていることが好ましい（請求項４）。この場合には、上記コネクタにおいて、上記ケースへの上記コネクタの固定及び上記負極端子部材と上記ケースとの電気的接続をより効果的に実現することができる。その結果、上記コネクタの上記電源装置に対する固定及び電気的接続をより確実に行うことができる。
【００１４】
また、上記正極端子部材の上記正極バスバーは、上記電源装置の出力部と接続される装置側接続部を有し、該装置側接続部は、上記正極本体部における上記負極本体部と隣接する端縁部から上記正側ワイヤー接続部と反対側へ屈曲して形成されていることが好ましい（請求項５）。この場合には、上記装置側接続部を設けることによる上記並び方向もしくは、上記横方向への上記コネクタの拡大を抑制することができる。その結果、上記コネクタの小型化を効果的に実現することができる。
【実施例】
【００１５】
（実施例１）
実施例にかかるコネクタにつき、図１〜図９を用いて説明する。
本例のコネクタ１は、図１に示すごとく、正極端子部材２と、負極端子部材３と、正極端子部材２及び負極端子部材３を一体的に保持すると共に両者を絶縁する絶縁部材４とからなる。
また、コネクタ１は、図９に示すごとく、電源装置７の出力部７０に配置される。
【００１６】
また、コネクタ１は、電源装置７における導体からなるケース７１に固定できるように構成されている。
また、負極端子部材３は、図１に示すごとく、ケース７１にコネクタ１を固定すると共に、負極端子部材３とケース７１との電気的接続を図るための接続固定部３２３を有する。接続固定部３２３は、略円形状の貫通孔によって構成されている。
【００１７】
また、正極端子部材２は、図３に示すごとく、正側ワイヤー８１（図８参照）の一端を接続するための正側ワイヤー接続部２１を備えると共に、図１、図２に示すごとく、絶縁部材４にその少なくとも一部を保持された板状の正極バスバー２２を有する。
また、正極バスバー２２は、正側ワイヤー接続部２１を突出させた正極本体部２２１を備えている。以下において、この突出方向を適宜「前方」といい、その反対側を適宜「後方」という。
【００１８】
また、正側ワイヤー接続部２１は、図２に示すごとく、頭部２１１と軸部２１２とを備えたボルト状部材を、正極本体部２２１に組付けることにより構成されている。
具体的には、正極本体部２２１に設けられた係合孔２２３に軸部２１２を嵌入すると共に、頭部２１１を正極本体部２２１の後面に係合してある。これにより、軸部２１２が正側ワイヤー接続部２１として機能する。
【００１９】
また、正極端子部材２の正極バスバー２２は、電源装置７の出力部７０（図７参照）と接続される装置側接続部２２２を有する。装置側接続部２２２は、図２、図３に示すごとく、正極本体部２２１における負極本体部３２１と隣接する端縁部２２０から、正側ワイヤー接続部２１と反対側（後方）へ屈曲して形成されている。
【００２０】
また、負極端子部材３は、図３に示すごとく、負側ワイヤー８２（図８参照）の一端を接続するための負側ワイヤー接続部３１を備えると共に、図１、図２に示すごとく、絶縁部材４にその少なくとも一部を保持された板状の負極バスバー３２を有する。
また、負極バスバー３２は、負側ワイヤー接続部３１を突出させた負極本体部３２１を備えている。
【００２１】
また、負側ワイヤー接続部３１は、図２に示すごとく、頭部３１１と軸部３１２とを備えたボルト状部材を、負極本体部３２１に組付けることにより構成されている。
具体的には、負極本体部３２１に設けられた係合孔３２５に軸部３１２を嵌入すると共に、頭部３１１を負極本体部３２１の後面に係合してある。これにより、軸部３１２が負側ワイヤー接続部３１として機能する。
【００２２】
また、負極バスバー３２は、図１〜図３に示すごとく、接続固定部３２３を配設した延設部３２２を有する。延設部３２２は、負極本体部３２１から、負極本体部３２１と正極本体部２２１との並び方向（以下において、この方向を適宜「高さ方向」という。）及び負側ワイヤー接続部３１の突出方向（前方）に対して直交する横方向に引き出されると共に、正極本体部２２１側に屈曲して延びるように形成されている（図２においては、延設部３２２を二点差線で示す）。
また、延設部３２２には、図３に示すごとく、延設部３２２の先端側において、絶縁部材４に対する負極端子部材３の位置決めが可能な位置決め部３２４が形成されている。
【００２３】
また、絶縁部材４は、図１、図４に示すごとく、略長方形状をなす基部４１と、基部４１の主面４１５より前方に立設する絶縁壁部４２とを備える。なお、図４、図５は、コネクタ１から正極端子部材２及び負極端子部材３を仮想的に取り除いた状態の絶縁部材４の形状を表す。逆に、図３は、コネクタ１から絶縁部材４を仮想的に取り除いた状態の正極端子部材２及び負極端子部材３の形状及び配置を表す。
【００２４】
絶縁壁部４２は、基部４１における高さ方向の両端付近から立設する一対の外側壁部４２１と、正側ワイヤー接続部２１と負側ワイヤー接続部３１との間において基部４１から立設する中央壁部４２２と、一対の外側壁部４２１の一端部及び中央壁部４２２の一端部を連結する連結壁部４２３とによって形成されている。これにより、外側壁部４２１と中央壁部４２２と連結壁部４２３との間において、正側ワイヤー接続部２１、負側ワイヤー接続部３１がそれぞれ配される正側凹部４２４及び負側凹部４２５が互いに独立して形成されている。
また、図２に示すごとく、絶縁壁部４２は、基部４１から、正側ワイヤー接続部２１、負側ワイヤー接続部３１よりも若干大きく前方へ突出している。
【００２５】
また、基部４１には、図１、図４に示すごとく、外側壁部４２１と中央壁部４２２との間において、正側ワイヤー接続部２１、負側ワイヤー接続部３１が突出する開放孔４１１が一対形成されている。
また、基部４１における横方向の一端部には、負極バスバー３２の接続固定部３２３を厚み方向の両側へ露出させる開放部４１２が形成されている。
【００２６】
また、基部４１における横方向の他端部には、固定部５を構成する環状金属板５０がインサートされている。
また、基部４１には、環状金属板５０をその外周部において保持すると共に、その内側部分を基部４１の厚み方向の両側へ露出させるように固定部用開放孔４１３が形成されている。
【００２７】
また、図２、図５に示すごとく、基部４１の後面には、正側ワイヤー接続部２１の頭部２１１、負側ワイヤー接続部３１の頭部３１１を、基部４１の厚み方向の一方側（後方）から外部に露出させる基部開放孔４１７が一対形成されている。
【００２８】
また、基部４１の後面における一対の基部開放孔４１７の間には、正極端子部材２の装置側接続部２２２を外部に突出させる接続部用開放部４１８が形成されている。
また、基部４１には、ケース７１に対する位置決め用突起部４３が一対形成されている。
【００２９】
次に、本例のコネクタ１の製造方法につき、図１、図４、図５を用いて説明する。
本例のコネクタ１は、図１に示すごとく、絶縁部材４に対して、正極端子部材２及び負極端子部材３をいわゆるインサート成形することにより製造される。
【００３０】
具体的には、図４、図５に示す絶縁部材４の金型（図示略）に対して、正極端子部材２及び負極端子部材３を固定する。このとき、金型には、負極端子部材３の延設部３２２の位置決め部３２４に挿嵌可能な突起部が形成されている。この突起部と位置決め部３２４とを嵌合させた状態で絶縁部材４を成型することにより、成型後の絶縁部材４に対して負極端子部材３を位置決めすることができる。
また、金型における接続部用開放部４１８を成形するための部位から、正極端子部材２の装置側接続部２２２を外部に突出させた状態で、正極端子部材２を金型に固定する。このとき、装置側接続部２２２を金型の一部に固定することにより、成型後の絶縁部材４に対して正極端子部材２を位置決めすることができる。
また、金型における固定部用開放孔４１３を成形するための部位には、環状金属板５０を配置する。
【００３１】
次いで、正極端子部材２及び負極端子部材３を位置決めした状態の金型に対して、例えば、フェノール等の液状の樹脂を充填する。
そして、樹脂の固化後においては、図１に示すごとく、正極端子部材２の正極バスバー２２及び負極端子部材３の負極バスバー３２の一部が、絶縁部材４に保持された状態となる。
また、固定部用開放孔４１３においては、環状金属板５０が、その外周部を絶縁部材４に保持されると共にその内側部分を基部４１の厚み方向の両側へ露出された状態となる。
【００３２】
次いで、正側ワイヤー接続部２１及び負側ワイヤー接続部３１の双方に、その突出方向の先端側から、金属製のナット６１２を螺合し、ナット６１２を正極本体部２２１及び負極本体部３２１（図１参照）に対して各々固定する。
以上により、図１に示すコネクタ１を得ることができる。
【００３３】
次に、本例のコネクタ１の電源装置７への取付け手段につき、図６〜図９を用いて説明する。
電源装置７は、図６に示すごとく、制御回路７２と、制御回路７２における一対の出力端子に一次コイル側が接続されたトランス７３と、トランス７３の二次コイル側に接続された整流回路７４と、整流回路７４と一対の端子７９１、７９２との間に配置された平滑回路７５とを備える。
【００３４】
整流回路７４は、トランス７３の二次コイルの２つの端子にそれぞれアノードが接続されたダイオード７６からなる。
また、平滑回路７５は、整流回路７４におけるダイオード７６のカソードに一端が接続されたチョークコイル７７と、ダイオード７６とチョークコイル７７の間及びチョークコイル７７と端子７９１、７９２の間において、それぞれ接続された複数の平滑コンデンサ７８とからなる。上記一対の端子７９１、７９２が、それぞれ上記コネクタ１における正極端子部材２及び負極端子部材３に相当する。
【００３５】
そして、本例のコネクタ１は、図９に示すごとく、電源装置７の出力部７０に配置される。
また、コネクタ１は、電源装置７の出力側であって低圧側に配されるように、ケース７１の外部に取付けられる。具体的には、図７に示すごとく、電源装置７の出力部７０においては、ケース７１の表面にコネクタ取付け部７１０が形成されている。
【００３６】
コネクタ取付け部７１０には、コネクタ１における装置側接続部２２２をケース７１の内部に挿通可能な開口部７１１が形成されている。また、コネクタ取付け部７１０には、コネクタ１の位置決め用突起部４３が挿嵌できる位置決め穴７１２が形成されている。
また、コネクタ取付け部７１０には、コネクタ１の接続固定部３２３及び固定部５に対応した雌ネジ部７１３がそれぞれ形成されている。
【００３７】
電源装置７に対するコネクタ１の取付け作業にあたっては、まず、コネクタ１における装置側接続部２２２を、コネクタ取付け部７１０の開口部７１１からケース７１の内側に挿通する。また、コネクタ１の一対の位置決め用突起部４３をコネクタ取付け部７１０の一対の位置決め穴７１２にそれぞれ挿嵌させる。これによって、コネクタ１をケース７１に対して位置決めすることができる。
【００３８】
次に、電源装置７における高電位側の出力端子部（図６の端子７９１と同電位の部分）とコネクタ１の装置側接続部２２２とをケース７１の内部において、金属製のボルトを用いて固定する。これにより、コネクタ１の正極端子部材２は、電源装置７に対して電気的に接続された状態となる。
【００３９】
また、コネクタ１における接続固定部３２３及び固定部５とコネクタ取付け部７１０の雌ネジ部７１３とを、例えば、金属製のボルト６３を用いて固定する（図８参照）。このとき、コネクタ１における負極バスバー３２の接続固定部３２３及び固定部５は、絶縁部材４の基部４１の厚み方向の両側から外部に露出した状態である。そのため、固定後には、接続固定部３２３及び固定部５と、ケース７１と、ボルト６３とが、いわゆる金属タッチの状態となる。これによって、ケース７１へのコネクタ１の固定を金属同士が面接触した状態で行うことができる。そのため、ケース７１とコネクタ１との締結力を高めることができる。そして、コネクタ１の負極端子部材３は、電源装置７に対して電気的にも接続された状態となる。すなわち、接続固定部３２３のケース７１への締結固定によって、コネクタ１を電源装置７に対して固定することができると共に、コネクタ１の負極端子部材３をケース７１に電気的に接続することができる。
【００４０】
次に、図８に示すごとく、コネクタ１における、正側ワイヤー接続部２１に正側ワイヤー８１の一端を接続する。具体的には、正側ワイヤー８１の一端には、リング状の端子部８１０が形成されている。この端子部８１０を、正側ワイヤー接続部２１の突出方向の先端側から嵌め、上記ナット６１２（図１参照）と接触させる。そして、その上から、更に、別の金属製のナット６１３を正側ワイヤー接続部２１に螺合することによって、正側ワイヤー８１を正極本体部２２１（図１参照）に対して固定する。これによって、正側ワイヤー８１と正極端子部材２とが電気的に接続された状態となる。そして、図６に示すごとく、正側ワイヤー８１の他端側は、バッテリー８３の正極端子８３１に電気的に接続される。
【００４１】
また、図８に示すごとく、コネクタ１における、負側ワイヤー接続部３１に負側ワイヤー８２の一端を接続する。具体的には、負側ワイヤー８２の一端にも、リング状の端子部８２０が形成されている。この端子部８２０を、負側ワイヤー接続部３１の突出方向の先端側から嵌め、上記ナット６１２（図１参照）と接触させる。そして、その上から、更に、別の金属製のナット６１３を負側ワイヤー接続部３１に螺合することによって、負側ワイヤー８２を負極本体部３２１（図１参照）に対して固定する。これによって、負側ワイヤー８２と負極端子部材３とが電気的に接続された状態となる。そして、図６に示すごとく、負側ワイヤー８２の他端側は、バッテリー８３の負極端子８３２に接続されると共に、バッテリー８３の負極端子８３２から引き出される負側ワイヤー８２が車体８に対して接地される。
【００４２】
なお、図６、図９に示すごとく、ケース７１には、ケース７１を車体８に固定するためのフランジ部７１４が形成されている。フランジ部７１４に対して別の負側ワイヤー８２１の一端側を電気的に接続し、負側ワイヤー８２１の他端を車体８に接地する。これにより、負側ワイヤー８２を介した接続に加えて負側ワイヤー８２１を介しても電源装置７とバッテリー８３の負極端子８３２とを接続することができる。
【００４３】
このように、図９に示すごとく、コネクタ１を電源装置７の出力部７０に対して取付けることができる。また、電源装置７をフランジ部７１４において車体８に固定する。なお、同図においては、正側ワイヤー８１及び負側ワイヤー８２は図示を省略してある。
【００４４】
次に、本例のコネクタ１の作用効果につき、図１〜図３、図８を用いて説明する。
コネクタ１は、図１〜図３に示すごとく、負極端子部材３に接続固定部３２３を有する。これによって、ケース７１にコネクタ１を固定することができ、かつ負極端子部材３とケース７１との電気的接続を行うことができる。その結果、コネクタ１の電源装置７への固定及び電気的接続を同時に実現することができる。
また、コネクタ１を電源装置７に固定すると共に電気的接続するための部品の点数を低減することができる。その結果、製造コストの低減を図ることができる共に、電源装置７へのコネクタ１の固定及び電気的接続の作業の効率を向上させることができる。
【００４５】
また、図１〜図３に示すごとく、正極端子部材２は、正側ワイヤー８１の一端を接続するための正側ワイヤー接続部２１を備えると共に、絶縁部材４にその少なくとも一部を保持された板状の正極バスバー２２を有し、正極バスバー２２は、正側ワイヤー接続部２１を突出させた正極本体部２２１を備える。
また、負極端子部材３は、負側ワイヤー８２の一端を接続するための負側ワイヤー接続部３１を備えると共に、絶縁部材４にその少なくとも一部を保持された板状の負極バスバー３２を有し、負極バスバー３２は、負側ワイヤー接続部３１を突出させた負極本体部３２１を備えている。
【００４６】
これによって、図８に示すごとく、正側ワイヤー接続部２１に対して正側ワイヤー８１の一端を接続することができ、負側ワイヤー接続部３１に対して負側ワイヤー８２の一端を接続することができる。その結果、コネクタ１を介して電源装置７と外部機器との電気的接続をより確実に行うことができる。
【００４７】
また、図１〜図３に示すごとく、負極バスバー３２は、接続固定部３２３を配設した延設部３２２を有し、延設部３２２は、横方向に引き出されると共に、正極本体部２２１側に屈曲して延びるように形成されている。
【００４８】
これによって、図１、図８に示すごとく、ケース７１へのコネクタ１の固定及び負極端子部材３とケース７１との電気的接続を、コネクタ１の高さ方向の中心部付近で行うことができる。その結果、コネクタ１の電源装置７に対する固定を安定して行うことができる。
【００４９】
また、図１〜図３に示すごとく、正極端子部材２の正極バスバー２２は、電源装置７の出力部７０と接続される装置側接続部２２２を有し、装置側接続部２２２は、正極本体部２２１における負極本体部３２１と隣接する端縁部２２０から後方へ屈曲して形成されている。これによって、装置側接続部２２２を設けることによる正極本体部２２１と負極本体部３２１の並び方向（高さ方向）もしくは、横方向へのコネクタ１の拡大を抑制することができる。その結果、コネクタ１の小型化を効果的に実現することができる。
【００５０】
また、図８に示すごとく、絶縁部材４は、正側ワイヤー接続部２１、負側ワイヤー接続部３１よりも若干大きく前方に突出すると共に、外側壁部４２１、４２１の間において中央壁部４２２を形成する絶縁壁部４２を有している。これによって、絶縁部材４における正極端子部材２と負極端子部材３との間の沿面距離を稼ぐことができる。そのため、コネクタ１における絶縁部材４の絶縁性を高く維持することができる。
【００５１】
以上のごとく、本例によれば、電源装置への固定及び電気的接続を効率的に行うことができるコネクタを提供することができる。
【００５２】
（実施例２）
本例は、図１０、図１１に示すごとく、負極本体部３２１において、延設部３２２を一対形成した例である。
本例における延設部３２２は、図１０、図１１に示すごとく、横方向の双方へ引き出されると共に、正極本体部２２１側に屈曲して延びるように一対形成されている。これら２つの延設部３２２にそれぞれ接続固定部３２３が形成されている。
【００５３】
また、本例においては、一対の延設部３２２のうち、一方の延設部３２２に位置決め部３２４が形成されている。
また、本例における絶縁部材４は、横方向であって基部４１の両端部に、一対の開放部４１２を形成している。
その他は、実施例１と同様である。
【００５４】
本例の場合には、負極端子部材３が、接続固定部３２３を横方向の２箇所に形成している。この２箇所の接続固定部３２３において、ケース７１へのコネクタ１の固定及び負極端子部材３とケース７１との電気的接続を行うことができる。その結果、コネクタ１の電源装置７に対する固定及び電気的接続をより確実に行うことができる。
その他、実施例１と同様の作用効果を有する。
【００５５】
なお、上述した「前方」、「後方」、「高さ方向」及び「横方向」は、便宜的なものであってコネクタ１の配設向きを限定するものではない。
【符号の説明】
【００５６】
１  コネクタ
２  正極端子部材
２１  正側ワイヤー接続部
２２  正極バスバー
２２１  正極本体部
３  負極端子部材
３１  負側ワイヤー接続部
３２  負極バスバー
３２１  負極本体部
３２３  接続固定部
４  絶縁部材
５  固定部
７１  ケース
【図１】
2013122841.tif 000003
【図２】
2013122841.tif 000004
【図３】
2013122841.tif 000005
【図４】
2013122841.tif 000006
【図５】
2013122841.tif 000007
【図６】
2013122841.tif 000008
【図７】
2013122841.tif 000009
【図８】
2013122841.tif 000010
【図９】
2013122841.tif 000011
【図１０】
2013122841.tif 000012
【図１１】
2013122841.tif 000013